(57)【要約】【課題】ポーチに備えられる化粧格子を活用して、当該化粧格子における縦材の下部側に備えられている照明手段で該玄関ポーチの床を照らし、ポーチの意匠性を高めると共に、ポーチにおける歩行性等の作業性を向上させることができる。【解決手段】少なくとも縦材１０を備えてなる面状の化粧格子Ｋを備えるポーチＰであって、該化粧格子Ｋが、前記ポーチＰの床Ｐａを照らす照明手段３０を前記縦材１０の下部側に備えている構成としてある。【選択図】図４
2010156145.tif 000002
【特許請求の範囲】
【請求項１】
少なくとも縦材を備えてなる面状の化粧格子を備えるポーチであって、該化粧格子が、前記ポーチの床を照らす照明手段を前記縦材の下部側に備えていることを特徴とするポーチ。
【請求項２】
前記照明手段の光源が前記縦材の下端部内にあって、当該縦材の下方のポーチの床を照らすようにしてあることを特徴とする請求項１に記載のポーチ。
【請求項３】
前記化粧格子の下方にあるポーチ床面に凹部が設けてあり、前記縦材に備えられている照明手段による照射光の主要部が当該凹部に向けられていることを特徴とする請求項１又は請求項２に記載のポーチ。
【請求項４】
前記縦材が下端の開口された中空材であり、当該縦材の下部側を貫通する中空の横材で連結してあると共に、この縦材に貫通されて当該縦材内にある横材の下部側に前記照明手段の光源が備えられていることを特徴とする請求項１、請求項２又は請求項３に記載のポーチ。
【請求項５】
前記化粧格子が壁面に沿って備えられていることを特徴とする請求項１、請求項２、請求項３又は請求項４に記載のポーチ。
【請求項６】
前記化粧格子がポーチ柱と壁との間に備えられていることを特徴とする請求項１、請求項２、請求項３又は請求項４に記載のポーチ。
【発明の詳細な説明】
【技術分野】
【０００１】
この発明は玄関先に備えられるポーチの改良、特に、柔らかい照明によって、ポーチの意匠性を高めると共に、必要な歩行特性を高めうるようにしたポーチの提供に関する。
【背景技術】
【０００２】
通例、玄関灯などによって夜間における出入りの利便性や、玄関口における意匠性を高めることが試みられている。
【０００３】
また、住宅の外壁から敷地外道路近傍にまで至る広い範囲を覆う玄関庇を設けて、当該広い庇であっても庇下方が暗くならないようにするために、戸建て住宅に、住宅の外壁から敷地外道路近傍までの幅、及び、玄関戸及び宅配ボックスを含めた幅を有する玄関庇を構成し、該玄関庇の庇天井であって外壁近傍に構造体内部側に凹状に複数の照明開口部を設けて、ここに照明具等を備えて照明具による人工の光を玄関ポーチの隅まで取り入れるようにして、玄関庇の下方を広く照らすことができるようにした玄関庇が開示されている（例えば、特許文献１）。
【０００４】
また、タイル間の目地内に安定よくしかも容易に取り付けることが出来る目地用照明器具として、電源コードと、この電源コードに接続された複数個のライトと、これら各ライトを支持する複数の支持台とが備えられ、ライトを支持した支持台は、構築物間の目地内に介装可能で、且つ支持台における目地内の被設置面への設置部位が支持台におけるライトの支持部位よりも大きく円錐台状に形成した目地用照明器具が提案されている（例えば、特許文献２）。
【特許文献１】特開２００３−４１７００公報
【特許文献２】特開２００６−２３３４２６公報
【発明の開示】
【発明が解決しようとする課題】
【０００５】
通例、建物の意匠性においてポーチは重要な意味を有しており、各種の工夫が凝らされたポーチが提案されている。
【０００６】
しかしながら、夜間等における歩行等の利便性を備えたポーチが提案されているものの、より柔らかい雰囲気で、かつ、趣の深い照明の勘案されたポーチは存在していなかった。
【０００７】
かかるポーチにおける特殊な意匠性を満足させ得る照明効果を奏し、かつ、ポーチにおいて要請される各種の照明機能を備えているポーチの提案が求められていた。
【課題を解決するための手段】
【０００８】
かかる課題を解決するために、この発明は、少なくとも縦材を備えてなる面状の化粧格子を備えるポーチであって、該化粧格子が、前記ポーチの床を照らす照明手段を前記縦材の下部側に備えていることを特徴とするポーチとしてある。
【０００９】
このように構成されるポーチにあっては、ポーチに備えられている面状の化粧格子の下方に位置する当該ポーチの床が、化粧格子を構成する縦材の下部側に備えられている照明手段によって、照明されることとなり、当該ポーチにおける床の意匠に当該照明による独特な趣をもたらすことができると共に、ポーチの床における歩行等の各種の照明手段として活用することができる。
【００１０】
また、前記照明手段の光源３０’が前記縦材の下端部内にあって、当該縦材の下方のポーチの床を照らすようにしてあるポーチでは、前記特長に併せて光源が直接的に眼に触れ無い、柔らかな趣のある間接照明効果をポーチにもたらすことができる。
【００１１】
また、前記化粧格子の下方にあるポーチ床面に凹部が設けてあり、前記縦材に備えられている照明手段による照射光の主要部が当該凹部に向けられているポーチにあっては、前記特長に併せて、ポーチ床に前記化粧格子と共に枯れ山水的な趣や、前記化粧格子から投射される照明を水面に反射させて今様の趣に富むポーチを容易に構成することができる。
【００１２】
また、前記縦材が下端の開口された中空材であり、当該縦材の下部側を貫通する中空の横材で連結してあると共に、この縦材に貫通されて当該縦材内にある横材の下部側に前記照明手段の光源３０’が備えられているポーチにあっては、前記特長に併せて、趣のあるポーチを容易、かつ、確実に構成するができる。
【００１３】
また、前記化粧格子が壁面に沿って備えられていることを特徴とするポーチにあっては、前記特長に併せて、ポーチを構成する玄関ドアに連続した躯体壁面等を化粧格子面として、玄関口における意匠性を高めることができ、この壁面におけるポーチとの見切りを柔らかな照明手段とすることで、暗かったり、薄暗かったりする場合におけるポーチにおける照明機能を改善することができる。
【００１４】
また、前記化粧格子がポーチ柱と壁との間に備えられていることを特徴とするポーチにあっては、前記特長に併せて、ポーチに備えられる化粧格子が玄関口において必要な遮蔽効果を備える化粧手段とされ、かつ、歩行通路面の特定と、必要な歩行通路面に対する照明効果を容易にもたらしうる特長を有している。
【発明の効果】
【００１５】
この発明に係るポーチは、ポーチに備えられる化粧格子を活用して、当該化粧格子における縦材の下部側に備えられている照明手段で該玄関ポーチの床を照らし、ポーチの意匠性を高めると共に、ポーチにおける歩行性等の作業性を向上させることができる。
【発明を実施するための最良の形態】
【００１６】
以下、この発明を実施するための最良の形態に係る典型的なポーチＰについて説明する。
【００１７】
図１〜図９は、この発明を実施するための最良の形態に係るポーチＰであって、図１〜図５は、壁に沿うように化粧格子Ｋを備えた状態を、図６〜図９は、ポーチ柱８０と壁との間に化粧格子Ｋを備えた状態を示している。
【００１８】
図１〜図５に示されるポーチＰにあって、図１では、これらの要部を斜め上方から見て、図２は、これを正面側から見て、図３は、水平向きに断面して下方を見て、図４は、当該ポーチＰの要部を縦向きに断面した要部を、図５は、当該ポーチＰの要部を横向きに断面して、その要部を示している。
図６〜図９に示されるポーチＰにあって、図６では、これらの要部を斜め上方から見て、図７は、水平向きに断面して下方を見て、図８は、当該ポーチＰの要部を縦向きに断面した要部を、図９は、当該ポーチＰの要部を横向きに断面して、その要部を示している。
【００１９】
この発明を実施するための最良の形態に係るポーチＰは、少なくとも縦材１０を備えてなる面状の化粧格子Ｋを備えるポーチＰであって、該化粧格子Ｋが、前記ポーチＰの床Ｐａを照らす照明手段３０を前記縦材１０の下部側に備えている構成としてある。
【００２０】
このように構成されるポーチＰにあっては、ポーチＰに備えられている面状の化粧格子Ｋの下方に位置する当該ポーチＰの床Ｐａが、化粧格子Ｋを構成する縦材１０の下部側に備えられている照明手段３０によって、照明されることとなり、当該ポーチＰにおける床の意匠に当該照明による独特な趣をもたらすことができると共に、ポーチＰの床Ｐａにおける歩行等の各種の照明手段３０として活用することが可能とされる。
【００２１】
また、前記照明手段３０の光源３０’が前記縦材１０の下端部内にあって、当該縦材１０の下方のポーチＰの床Ｐａを照らすようにしてあるポーチＰでは、前記特長に併せて光源が直接的に眼に触れることのない、柔らかな趣のある間接照明効果を当該ポーチＰにもたらすように機能する。
【００２２】
また、前記化粧格子Ｋの下方にあるポーチ床Ｐａ面に凹部４０が設けてあり、前記縦材１０に備えられている照明手段３０による照射光の主要部が当該凹部に向けられているポーチＰにあっては、前記特長に併せて、ポーチＰ面に前記化粧格子Ｋと共に枯れ山水的な趣や、前記化粧格子Ｋから投射される照明を水面で反射させて、独特の趣に富むポーチＰを容易に構成できるように機能する。
【００２３】
また、前記縦材１０を下端の開口された中空材で構成し、しかも、この縦材１０の下部側に貫通させた中空の横材２０で連結してあると共に、この縦材１０に貫通されて当該縦材１０内にある横材２０の下部側に前記照明手段３０の光源３０’を備えたポーチＰにあっては、前記特長に併せて、光源３０’が縦材１０の中空内に位置づけられるように横材２０の下部側に都合よくセットすることが可能とされ、趣のあるポーチＰを容易、かつ、確実に構成することができる。
【００２４】
また、前記化粧格子Ｋを建物躯体の壁面、特に、玄関ドアＤに連続する壁面に沿って備えるようにしたポーチＰにあっては、前記特長に併せて、ポーチＰを構成する玄関ドアＤに連続した躯体壁面等を化粧格子Ｋ面として、玄関口における意匠性を高めることができ、この壁面におけるポーチＰとの見切りを柔らかな照明手段３０とすることで、暗かったり、薄暗かったりする場合におけるポーチＰにおける照明機能を改善することができる。
【００２５】
また、前記化粧格子Ｋをポーチ柱８０と壁Ｍとの間に備えるようにしたポーチＰにあっては、前記特長に併せて、ポーチＰに備えられる化粧格子Ｋが玄関口において必要な遮蔽効果を備える化粧手段とされると共に、ポーチＰにおける歩行面の確保と、必要な歩行通路面に対する照明効果を容易かつ確実にもたらすように機能する。
【００２６】
ついで、図１〜図５に示される典型的な図示例に係るポーチＰについて具体的に説明する。
【００２７】
この図示例に係るポーチＰは、少なくとも縦材１０を備えてなる面状の化粧格子Ｋを備えるポーチＰであって、該化粧格子Ｋが、前記ポーチＰの床Ｐａを照らす照明手段３０を前記縦材１０の下部側に備えている構成としてある。
【００２８】
この図示例に係るポーチＰは、玄関ドアＤを備える玄関口に屋外側に出っ張る態様に建物Ａの躯体と一体をなすように設けてあり、玄関ドアＤを備える壁で建物Ａの本体側と区分して構成されている。
【００２９】
より具体的には、玄関ドアＤを備える外壁Ｍの屋外側に、玄関土間に対して適宜の水勾配のもとに一連に連続するように、施工地盤よりも一段高めに打設された床面を備えるポーチ床Ｐａと、このポーチ床Ｐａの上方を覆う庇等によって構成されているポーチＰに対して、少なくとも縦材１０を備えてなる面状の化粧格子Ｋを備え付けて当該ポーチＰを構成してある。
【００３０】
この図示例にあっては、玄関ドアＤの締め込み側、すなわち、玄関ドアＤをヒンジで支えていない側の外壁の当該壁部分Ｍａから出隅の壁部分Ｍ’までの間に当該面状をなす化粧格子Ｋを配置するように構成してあり、より具体的には、玄関ドアＤの備えられる外壁を部分的に屋外側にふかした壁ふかし部とし、このふかし壁部分Ｍａと出隅の壁部分Ｍ’との間に、この、ふかし壁部分Ｍａと面一の状態になるように面状をなす化粧格子Ｋを備え付けることによって、玄関ドアＤを備える壁面と面一の外観を呈するように構成してある。
【００３１】
すなわち、玄関口において、通常の外壁Ｍよりも屋外側に壁をふかすことで、玄関の開口の意匠性を高めると共に、玄関口において通常の壁部分から当該屋外側にふかされた壁部分Ｍａによって構成される通常の外壁Ｍの屋外側に生ずる壁面の凹所Ｈに対して、当該面状をなす化粧格子Ｋを備え付け、この備え付け化粧格子Ｋにおける屋外側の面を、屋外側にふかされた壁部分Ｍａと面一に揃えることで、玄関口に独特の趣と重厚さとをもたらすことができる。
【００３２】
この図示例に係るポーチＰでは、ふかされた壁部分Ｍａから、これに連続される外壁Ｍの出隅部分Ｍ’までの凹所Ｈに当該面状をなす化粧格子Ｋを趣をもたせて備え付ける関係から、当該凹所Ｈよりポーチ床Ｐａ面の前方側と、躯体出隅部分Ｍ’の側方に、ややはみ出すように、前記凹所Ｈを構成する壁部Ｍから、当該凹所Ｈよりも大きめの凹部４０をポーチ床Ｐａ面に凹設してある。
【００３３】
かかる玄関口の壁部における壁ふかしのされている壁部分Ｍａに連続して備えられる面状の化粧格子Ｋは、複数本の縦材１０を横材２０によって連結、一体に構成してあり、具体的には、複数本の筒材１０’よりなる縦材１０〜１０を横材２０によって連結して構成してある。より具体的には、複数本の角筒材１０”よりなる縦材１０を横材２０で連結して構成してある。さらに、具体的には、３０ｍｍ×６０ｍｍのアルマイト加工したアルミニューム角筒材１０”における６０ｍｍ幅面を向き合わせるように並べて縦材１０〜１０とし、この６０ｍｍ幅面を向き合わせて縦向きに並列された各縦材１０における当該６０ｍｍ幅面を貫通して当該各縦材１０を組み付けるように、当該縦材１０の上部側と、下部側とに、筒材２０’、より具体的には、奥行き幅が１８ｍｍの縦向きに長い矩形断面をなすアルマイト加工したアルミニューム角筒材２０”からなる横材２０を貫通して、これらの縦材１０〜１０を連結してある。
ある。
【００３４】
このように横材２０で連結されてなる面状をなす化粧格子Ｋにおける縦材１０は、当該化粧格子Ｋにおける横材２０をコ字状をなす金具５０で壁Ｍに組み付けた際に、壁Ｍの前面側を構成する化粧格子Ｋを構成する各縦材１０の３０ｍｍ幅の面が、前記の壁ふかしのされている壁部分Ｍａの面に面一の状態で連続されるように構成される。また、この化粧格子Ｋを構成する縦材１０は、当該縦材１０に備えられる照明手段３０における照明がポーチＰの必要箇所を照明するに適した高さに設置されていることが好ましく、この図示例では、光源３０’からの光線が角筒材１０”の内面で反射しながらポーチ床Ｐａを都合よく照射し得る高さ位置に、当該縦材１０における角材１０’の下端開口が位置づけられるようにしてある。
【００３５】
また、この図示例にあっては、当該面状をなす化粧格子Ｋの縦材１０を、ほぼポーチＰの天井Ｐｂに近い位置から、土台の水切りプレート７０の下端に当該縦材１０の下端をあわせるように構成してあり、前記凹部４０の上方に当該縦材１０が並び位置づけられるようにしてある。
【００３６】
なお、前記縦材１０の上部側と下部側とにあって、当該縦材１０〜１０を連結している横材２０は、建物Ａの出隅側に位置づけられている縦材１０に対して当該横材２０の先端部を差し入れ状態で組み付けてあると共に、前記のふかされた壁部分Ｍａ側では、当該壁部分Ｍａのふかされている面に当該横材２０の筒面を開口状態に接するように設けてあり、この開口部分から当該横材２０内に電源コード３１に接続される照明手段３０の照明回路用のテープ３２が導き入れうるようにしてある。
【００３７】
なお、この面状をなす化粧格子Ｋは、適宜の手法で壁Ｍに組み付けてあればよく、この図示例では、複数箇所において、壁Ｍに事前に孔を穿設し、当該孔に対して打ち込みによって当該孔の内奥側で膨らみだすアンカーボルト５１を固定し、これにコ字状をなす金具５０の一片側をナット５２締めすると共に、当該金具５０の他方の片を雌ねじを備える横材２０にビス５３で止着することによって、面状をなす化粧格子Ｋを壁Ｍに平行な状態に装着する。
【００３８】
このように構成された縦材１０の下部側に、前記ポーチＰの床Ｐａを照らす照明手段３０を設けてある。
【００３９】
かかる照明手段３０は、いかなる照明手段３０であってもよく、また、いかなる態様に設けてあってもよい。
【００４０】
この図示例では、その典型的な事例として、前記照明手段３０の光源３０’が前記縦材１０の下端部内にあって、当該縦材１０の下方のポーチＰの床Ｐａを照らすように構成してある。
【００４１】
より具体的には、各照明手段３０を、前記縦材１０を構成する筒材１０’、さらに具体的には縦材１０を構成する角筒材１０”の下部側の内部に当該照明手段３０を設け、当該筒材１０’の下端開口から、ポーチ床Ｐａを照射させるように構成する。
【００４２】
かかる照明手段３０は、たとえば、ＬＥＤと通称されている発光ダイオード３０”などによって構成することができる。この図示例にあっては、軟質ＰＶＣのテープ電線を用いて回路構成をしたＬＥＤを照明手段３０として組み付けてあり、壁Ｍから引き出された電源コード３１にトランス等必要な構成部品を備えるＬＥＤ照明回線を当該テープ電線３２を用いて構成してあり、下部側にある横材２０の前記ふかし側の壁部分Ｍａに接している当該横材２０の開口から当該横材２０内に導きいれるようにしてある。
【００４３】
この図示例に係るポーチＰにあっては、筒材１０’、より具体的には角筒材１０”をなす前記縦材１０〜１０に刺し通されている横材２０としての筒材２０’、より具体的には当該化粧格子Ｋの下部側に横向きに配されている角筒材２０”からなる横材２０の下面側に、該縦材１０の筒孔に連通する孔が設けてあり、当該横材２０に案内された前記テープ電線３２に備えられているＬＥＤを、当該開設孔から下方に向けて差し入れ、各ＬＥＤのソケット部を当該差し入れ孔に固定することで、ＬＥＤの光線を縦材１０の角筒材１０”の下方の開口から、ポーチ床Ｐａに照射させるようにしてある。なお、図中３３は、当該照明手段３０のスイッチを示している。
【００４４】
このように構成されるポーチＰにあっては、照明手段３０であるＬＥＤからの光線が、特に、凹部４０部分を印象づけるように照射され、ポーチ床Ｐａに限らずポーチＰ全体の意匠性を高めるように機能する。
【００４５】
また、かかる構成からなるポーチＰの照明にあっては、光源３０’が直接的に眼に入る不具合がなく、格別に、趣の深いポーチＰの雰囲気を醸し出すことができる。
【００４６】
また、かかる構成からなるポーチＰでは、凹部４０に充填する充填素材４１によって、当該ポーチＰの雰囲気を自在に変更することが可能であり、たとえば、玉砂利の敷き詰め、ガラスビーズの敷き詰め、砕石の敷き詰めや、水張り等、各種の工夫を凝らすことができる。
【００４７】
また、同時に、化粧格子Ｋを構成する全ての縦材１０に照明手段３０を設けて、より明るい雰囲気のポーチＰとし、逆に、縦材１０の一部にのみ照明手段３０を設けて、閑静な雰囲気のポーチＰとし、あるいは、用いるＬＥＤの色調の選択によって、明るい雰囲気のポーチＰ、閑静な佇まいのポーチＰ等を、自在に演出することができ、必要に応じて四季おりおりの雰囲気を当該該ポーチＰにもたらすように工夫することもできる。
【００４８】
また、前記凹部４０を設けることなく、ポーチ床Ｐａの素材やＬＥＤの選択によって、各種雰囲気を醸し出すポーチＰを構成することも可能であり、当該ポーチＰの床Ｐａ上に被照射対象物を設けるように構成してあってもよい。
【００４９】
なお、前記化粧格子Ｋは、たとえば、アルマイト加工したアルミニューム角材に木目様の塩ビの化粧シートを張り込んだ化粧角材で構成することができるが、むくの木材等、適宜の素材によって構成してあってもよい。
【００５０】
また、縦材１０の下端には、角筒材１０”の下端部の化粧を兼ねて、当該下端を周回するように当該下端縁部を覆うようにプラスチック製のキャップ１１を被嵌してある。このキャップ１１は、上側に開口する環状溝１１ａを備えるやや弾性を備えた環状体としてあり、縦材１０の筒材１０’の下端部を該溝１１ａに受け入れるように嵌めつけるようにしてあってもよい。
【００５１】
また、前記化粧格子Ｋの下方にあるポーチ床Ｐａに備えられる凹部４０を活用することによって、前記特長に併せて、ポーチ床Ｐａに前記化粧格子Ｋと共に枯れ山水的な趣や、前記化粧格子Ｋから投射される照明を水面で反射させて、独特の趣に富むポーチＰを容易に構成することができる。
また、前記化粧格子Ｋの下方にあるポーチ床Ｐａに備えられる凹部４０部分に、前記縦材１０に備えられている照明手段３０による照射光の主要部を集めるようにして、ポーチ床Ｐａに各種の色調からなる化粧照射部分を醸し出すことができる。
【００５２】
次いで、図６〜図９に示されるポーチＰについて、具体的に説明する。
【００５３】
この図６〜図９に示されるポーチＰは、前記図１〜図５に示されるポーチＰに示されると同一又は実質的に同一の化粧格子Ｋを、玄関ドアＤを備える外壁Ｍとポーチ柱８０との間に備えた以外の構成を、前記図１〜図５に記載のポーチＰと同一又は実質的に同一の構成としてあり、また、同様に用いることができるとと共に、同様の効果を奏しうるものであって、同一又は実質的に同一の構成部分には同一の番号を付して、その説明を省略する。
【００５４】
この図示例にあっては、玄関ドアＤを備える外壁Ｍの前方のポーチ部分に、ポーチ床Ｐａと天井Ｐｂとの間にわたるようにポーチ柱８０が設けてあり、このポーチ柱８０と外壁Ｍとの間に、当該外壁Ｍに直交する向きに面状をなす化粧格子Ｋを備えている。
【００５５】
かかるポーチＰに備えられるポーチ柱８０は、筒材８０’、より具体的には角筒材８０”によって構成してあり、例えば、角鋼管材等によって構成される。
【００５６】
このポーチ柱８０と、玄関ドアＤを備える外壁Ｍとの間に備えられる化粧格子Ｋは、必ずしも、前記化粧格子Ｋと同一である必要はないが、同種形態の化粧格子Ｋを用いて構成することもできる。
【００５７】
当該ポーチＰに備えられる化粧格子Ｋは、ポーチＰの効果的な活用、特に、遮蔽機能を当該ポーチＰにもたらすと同時に、ポーチ床Ｐａの照明にも寄与するものであって、ポーチＰの重厚さと共に、使用上の利便性を期したものである。
【００５８】
この図示例では、筒材２０’、より具体的には、角筒材２０”をなす横材に密に嵌りあう上部取付保持具６０、６０と、下部取付保持具６０、６０とを用意し、この対をなす取付保持具６０、６０をポーチ柱８０と、これに対応する外壁Ｍの同一水平線とに位置づけるように取り付け、この取付保持具６０を角筒材２０”よりなる横材２０に嵌めいれて、当該横材２０をポーチ柱８０と外壁Ｍとの間に横架状態に組み付けることで、化粧格子Ｋを、ポーチ柱８０と外壁Ｍとの間に設置することができる。
【００５９】
かかる化粧格子Ｋは、必ずしも前記図１〜図５に示される化粧格子Ｋと同一の構成である必要は無いが、この図示例にあっては、筒材１０’からなる縦材１０、より具体的には、角筒材１０”からなる一連の縦材１０〜１０に対して、当該並列状態にある縦材１０の上部側と下部側とを上部側筒材２０’と下部側筒材２０’からなる横材２０、２０で貫通させて当該縦材１０〜１０を連結して前記図１〜図５と同様の一連に連結された面状をなす化粧格子Ｋを構成してある。より具体的には、複数本の３０ｍｍ×６０ｍｍのアルマイト加工したアルミニューム角筒材１０”における６０ｍｍ幅面を向き合わせるように並べた縦材１０〜１０を、この６０ｍｍ幅面を向き合わせて縦向きに並列させると共に、この６０ｍｍ幅面の上部側と、下部側とに、筒材２０’、より具体的には、奥行き幅が１８ｍｍの縦向きに長い矩形断面をなすアルマイト加工したアルミニューム角筒材２０”からなる横材２０を貫通させて、これらの各縦材１０〜１０を一連に連結して面状をなす化粧格子Ｋを構成する。
【００６０】
また、前記化粧格子Ｋの組みつけられるポーチ柱８０と、これに向き合っている外壁Ｍとに、取付保持具６０を止着する。この取付保持具６０は、化粧格子Ｋの上部側と下部側とに備えられる横材２０の筒材２０’に密に嵌りあう隆起部６０ｂを備えた構成としてあり、当該横材２０をなす筒材２０’の組み付けられるポーチ柱８０に対して当該取付各位置に周縁鍔部６０ａをビス６１で止着して備えてある。また、このポーチ柱８０の各取付保持具６０に向き合う玄関ドアＤ側にある壁Ｍに、同様に横材２０をなす筒材２０’の密に嵌り合う隆起部６０ｂと、該隆起部６０ｂを取り巻くように備えられている周縁鍔部６０ａとを備えた取付保持具６０を、前記横材２０の取り付け位置に対応するように金具５０で当該周縁鍔状部６０ａを壁Ｍに止着する。なお、この金具５０は、壁Ｍに穿設された孔に埋設したアンカーボルト５１を該周縁鍔状部６０ａに設けた孔に挿通してナット５２で締め付けてある。
【００６１】
このように、ポーチ柱８０と、当該ポーチ柱８０に対応した玄関ドアＤを備える壁Ｍに備え付けられた同一水平線位置にある上側取付保持具６０の隆起部６０ｂを上側横材２０の両側開口に押し入れ、また、下側取付保持具６０の隆起部６０ｂを下側横材２０の両側開口に押し入れ、これを止着して、化粧格子Ｋをポーチ柱８０と玄関ドアＤ側の壁との間に設置する。
【００６２】
なお、ここで、ポーチ柱８０と壁Ｍとの間に備えられる化粧格子Ｋは、その縦材１０の下端が、ポーチ床Ｐａから所定高さ位置となるようにしてあり、ポーチ床Ｐａに対する照明等が効果的になしうるようにしてある。
【００６３】
かかる化粧格子Ｋの設置に対応して施される照明手段３０、凹部４０、ポーチ床Ｐａ等の構成は、前記図１〜図５において説明されたと同様に施されるものであって、ポーチＰを風情に富んだ趣のある環境とすることができる。
【図面の簡単な説明】
【００６４】
【図１】典型的なポーチの要部斜視図
【図２】同要部正面図
【図３】同要部平断面図
【図４】同要部縦断面図
【図５】同要部平断面図
【図６】他の典型的なポーチの要部斜視図
【図７】同要部平断面図
【図８】同要部縦断面図
【図９】同要部平断面図
【符号の説明】
【００６５】
Ｐ  ポーチ
Ｋ  化粧格子
Ｐａ 床
１０  縦材
３０  照明手段
【図１】
2010156145.tif 000003
【図２】
2010156145.tif 000004
【図３】
2010156145.tif 000005
【図４】
2010156145.tif 000006
【図５】
2010156145.tif 000007
【図６】
2010156145.tif 000008
【図７】
2010156145.tif 000009
【図８】
2010156145.tif 000010
【図９】
2010156145.tif 000011